【手続補正書】
【提出日】平成18年12月15日(2006.12.15)
【手続補正１】
【補正対象書類名】特許請求の範囲
【補正対象項目名】全文
【補正方法】変更
【補正の内容】
【特許請求の範囲】
【請求項１】
記録ヘッドと対向する位置で記録媒体を支持するプラテンと、記録ヘッドの下流側に配され記録が行われた記録媒体を排出する排紙ローラと、該排紙ローラに従動して回転する拍車と、を備えるインクジェット記録装置において、
記録ヘッドにより１枚の記録データの一部が記録された記録媒体を前記排紙ローラと前記拍車とで狭持することにより記録媒体に凹凸形状を付与した後、記録ヘッドにより前記１枚の記録データの残りの部分を記録媒体に記録することを特徴とするインクジェット記録装置。
【請求項２】
前記排紙ローラと前記拍車とで狭持することにより記録媒体に凹凸形状を付与した後、記録媒体を逆転させてから記録ヘッドにより前記１枚の記録データの残りの部分を記録媒体に記録することを特徴とする請求項１に記載のインクジェット記録装置。
【請求項３】
前記記録データの一部は、１行分の記録データであることを特徴とする請求項１または２に記載のインクジェット記録装置。
【請求項４】
前記記録データの一部は、複数行分の記録データであることを特徴とする請求項１または２に記載のインクジェット記録装置。
【請求項５】
記録ヘッドと対向する位置で記録媒体を支持するプラテンと、記録ヘッドの上流側に配され記録媒体を前記プラテンに向けて押える押え板と、記録ヘッドの上流側に配され記録媒体に処理液を塗布する転写ローラと、を備えるインクジェット記録装置であって、
前記転写ローラにより処理液を塗布された記録媒体を前記プラテンと前記紙押え板との間で待機させることにより記録媒体に凹凸形状を付与した後、記録ヘッドにより記録媒体に記録を行うことを特徴とするインクジェット記録装置。
【請求項６】
記録ヘッドにより１枚の記録データの一部を記録する工程と、
記録が行われた記録媒体を排出する排紙ローラと、該排紙ローラに従動して回転する拍車とで、記録ヘッドにより前記１枚の記録データの一部が記録された記録媒体を挟持することにより記録媒体に凹凸形状を付与する工程と、
前記凹凸形状を付与した後、記録ヘッドにより前記１枚の記録データの残りの部分を記録媒体に記録する工程と、
を備えることを特徴とする記録方法。
【請求項７】
記録ヘッドの上流側に配された転写ローラにより記録媒体に処理液を塗布する工程と、
記録ヘッドと対向する位置で記録媒体を支持するプラテンと、記録ヘッドの上流側に配され記録媒体を前記プラテンに向けて押える押え板との間で、前記処理液を塗布された記録媒体を待機させることにより記録媒体に凹凸形状を付与する工程と、
前記凹凸形状を付与した後、記録ヘッドにより記録媒体に記録データを記録する工程と、
を備えることを特徴とする記録方法。
【手続補正２】
【補正対象書類名】明細書
【補正対象項目名】発明の名称
【補正方法】変更
【補正の内容】
【発明の名称】記録方法およびそれを用いるインクジェット記録装置
【手続補正３】
【補正対象書類名】明細書
【補正対象項目名】０００１
【補正方法】変更
【補正の内容】
【０００１】
本発明は、インクを記録媒体の記録面に対し吐出し付着させることにより、記録を行う記録方法およびそれを用いるインクジェット記録装置に関する。
【手続補正４】
【補正対象書類名】明細書
【補正対象項目名】００１２
【補正方法】変更
【補正の内容】
【００１２】
以上の問題点を考慮し、本発明は、インクを記録媒体の記録面に対し吐出し付着させることにより、記録を行う記録方法およびそれを用いるインクジェット記録装置であって、記録ヘッドの吐出口列の長さ、および、記録動作に応じた記録媒体の搬送量に左右されることなく記録ヘッド側への記録媒体の浮きを防止でき、しかも、その記録装置の製造コストが嵩むことがない記録方法およびそれを用いるインクジェット記録装置を提供することを目的とする。
【手続補正５】
【補正対象書類名】明細書
【補正対象項目名】００１３
【補正方法】変更
【補正の内容】
【００１３】
上述の目的を達成するために、本発明に係る記録方法は、記録ヘッドにより１枚の記録データの一部を記録する工程と、記録が行われた記録媒体を排出する排紙ローラと、排紙ローラに従動して回転する拍車とで、記録ヘッドにより１枚の記録データの一部が記録された記録媒体を挟持することにより記録媒体に凹凸形状を付与する工程と、凹凸形状を付与した後、記録ヘッドにより１枚の記録データの残りの部分を記録媒体に記録する工程と、を備えることを特徴とする。
【手続補正６】
【補正対象書類名】明細書
【補正対象項目名】００１４
【補正方法】変更
【補正の内容】
【００１４】
また、本発明に係るインクジェット記録装置は、記録ヘッドと対向する位置で記録媒体を支持するプラテンと、記録ヘッドの下流側に配され記録が行われた記録媒体を排出する排紙ローラと、排紙ローラに従動して回転する拍車と、を備えるインクジェット記録装置において、記録ヘッドにより１枚の記録データの一部が記録された記録媒体を排紙ローラと拍車とで狭持することにより記録媒体に凹凸形状を付与した後、記録ヘッドにより１枚の記録データの残りの部分を記録媒体に記録することを特徴とする。
【手続補正７】
【補正対象書類名】明細書
【補正対象項目名】００１５
【補正方法】変更
【補正の内容】
【００１５】
さらに、本発明に係るインクジェット記録装置は、記録ヘッドと対向する位置で記録媒体を支持するプラテンと、記録ヘッドの上流側に配され記録媒体をプラテンに向けて押える押え板と、記録ヘッドの上流側に配され記録媒体に処理液を塗布する転写ローラと、を備えるインクジェット記録装置であって、転写ローラにより処理液を塗布された記録媒体をプラテンと紙押え板との間で待機させることにより記録媒体に凹凸形状を付与した後、記録ヘッドにより記録媒体に記録を行うことを特徴とする。
【手続補正８】
【補正対象書類名】明細書
【補正対象項目名】００１６
【補正方法】変更
【補正の内容】
【００１６】
以上の説明から明らかなように、本発明に係る記録方法およびそれを用いるインクジェット記録装置によれば、記録媒体に凹凸形状を付与する工程と、凹凸形状を付与した後、記録ヘッドにより１枚の記録データの残りの部分を記録媒体に記録する工程とを含むことにより、記録媒体の記録領域に確実に凹凸が形成されるもとで記録領域に対して記録動作が行われるので所謂、コックリングが発生する虞がなく、従って、記録ヘッドの吐出口列の長さ、および、記録動作に応じた記録媒体の搬送量に左右されることなく記録ヘッド側への記録媒体の浮きを確実に防止でき、しかも、その記録装置の製造コストが嵩むことがない。
【手続補正９】
【補正対象書類名】明細書
【補正対象項目名】０１３０
【補正方法】変更
【補正の内容】
【０１３０】
【図１】本発明に係るインクジェット記録装置の一例の要部の構成を、記録媒体とともに概略的に示す構成図である。
【図２】本発明に係るインクジェット記録装置の一例の外観を示す斜視図である。
【図３】図２に示される例において、給紙トレーおよび排紙トレーがそれぞれ開いた状態を示す斜視図である。
【図４】図２に示される例における内部構造の要部を示す斜視図である。
【図５】図２に示される例における内部構造の要部を示す斜視図である。
【図６】図４に示される例における側面図である。
【図７】図２に示される例において備えられる制御ユニットを含む制御ブロックの構成を示すブロック図である。
【図８】図７に示される制御ユニットの構成を概略的に示すブロック図である。
【図９】図２に示される例において、図６に示される部分の一部を拡大して示す部分側面図である。
【図１０】図２に示される例において、図６に示される部分の一部を拡大して示す部分側面図である。
【図１１】図２に示される例において、図６に示される部分の一部を拡大して示す部分側面図である。
【図１２】図２に示される例において、図６に示される部分の一部を拡大して示す部分側面図である。
【図１３】図２に示される例において、動作説明に供される図である。
【図１４】図２に示される例において、動作説明に供される図である。
【図１５】図２に示される例において、動作説明に供される図である。
【図１６】図７に示されるＡＳＩＣが実行するプログラムの一例を示すフローチャートである。
【図１７】本発明に係るインクジェット記録装置の他の一例の要部の構成を、記録媒体とともに概略的に示す構成図である。
【図１８】図１７に示される例における要部の構成を示す斜視図である。
【図１９】図１８に示される例において、動作説明に供される部分断面図である。